(57)【特許請求の範囲】
【請求項１】
拡張可能なショート・メッセージ・サービスを有する携帯通信システムにおいて、
携帯無線送受信器と、
固定したインテリジェント・ドッキング・ステーションであって、前記送受信器をドックした位置に選択的に支持して前記送受信器と前記ドッキング・ステーションとを相互接続する手段を含み、
前記送受信器により受信され、その間の相互接続を介して前記ドッキング・ステーションに与えられた前記複数のショート・メッセージ・サービスのテキストを記憶し表示する、前記ドッキング・ステーションに接続されたメモリ手段と、
前記メモリに記憶したメッセージのテキストを選択的に表示する表示手段と、
携帯無線送受信器が前記ドッキング・ステーションから分離された場合に、前記メモリ手段にショート・メッセージ・サービスのテキストを格納するために、前記携帯無線送受信器宛に送信された該ショート・メッセージ・サービスのテキストを直接受信して前記メモリ手段に格納するための受信器と、
を含む拡張可能なショート・メッセージ・サービスを有する携帯通信システム。
【請求項２】
請求項１に記載の通信システムにおいて、前記ドッキング・ステーションは、複数個の受信ショート・メッセージ・サービスのテキストを記憶するための電子ディジタル・メモリを含む、通信システム。
【請求項３】
請求項２に記載の通信システムにおいて、前記ドッキング・ステーションは車両の操作位置の近傍の前記車両内の固定位置に取り付けられるようにされ、前記記憶したショート・メッセージのテキストを選択表示する手段を含む、通信システム。
【請求項４】
請求項３に記載の通信システムにおいて、前記ディジタル・メモリ内に記憶された少なくとも１つのショート・メッセージ・システムのテキストの存在を指示する指示器を含み、前記メモリ手段は前記ドッキング・ステーションから分離され接続される通信システム。
【請求項５】
請求項４に記載の通信システムにおいて、前記指示器は前記送受信器上にある通信システム。
【請求項６】
請求項２に記載の通信システムにおいて、前記システムは前記ドッキング・ステーション上に支持されつつ前記送受信器を操作する手段を含む通信システム。
【請求項７】
請求項６に記載の通信システムにおいて、前記送受信器を操作する手段は、音声により起動される送受信スイッチを含む通信システム。
【請求項８】
請求項３に記載の通信システムにおいて、前記携帯送受信器は、自身に電力を与える第１の再充電可能な電池を含み、前記ドッキング・ステーションは、前記送受信器が前記ドッキング・ステーション上に位置している時に前記相互接続を介して前記車両の第２の電池から前記第１の電池へ再充電電力を提供する手段を含む、通信システム。
【請求項９】
請求項２に記載の通信システムにおいて、前記携帯送受信器はキーパッドを含み、前記ドッキング・ステーションは、前記メモリ手段内の選択したメッセージの表示を制御する手段を有するコントローラを含む、通信システム。
【請求項１０】
請求項９に記載の通信システムにおいて、前記ドッキング・ステーションで派生した音声記憶のメッセージまたは個人情報メッセージの情報の記憶と、該情報を選択的に利用する手段を、前記ドッキング・ステーションがさらに含む通信システム。
【請求項１１】
請求項９に記載の通信システムにおいて、前記ドッキング・ステーションは、前記送受信器及びドッキング・ステーションの外部の装置により前記携帯送受信器とは独立した通信用の通信手段を含む通信システム。
【請求項１２】
請求項１１に記載の通信システムにおいて、前記通信手段は遠隔に位置するコンピュータへの赤外送信リンクを含み、このコンピュータは又外部の独立した通信リンクとインターフェースする通信システム。
【請求項１３】
請求項２に記載の通信システムにおいて、前記メモリに記憶した選択情報を前記送受信器にアップロードする装置をさらに含む通信システム。
【発明の詳細な説明】
発明の背景
携帯電話のような個人使用無線周波数（RF）送受信器は大きさを減少し続け、煙草ケース・サイズに近づいてシャツポケットに都合の良い大きさとなっている。小さな送受信器は、時折使用するディジタル・メモリ・バンクのような物理的に大きな部品を含む能力は著しく限定されている。同時に、送受信器はショート・メッセージ・サービス（SMS）メッセージ機能を含むよう設計されてきている。SMSメッセージは、メッセージが液晶表示部に表示される携帯電話のような携帯型ディジタル無線送受信器にディジタル的に送信可能な送信テキストである。例えば、標準的なメッセージは、特定の顧客電話番号を呼び出す命令又は会社を呼び出す命令を含む。このサービスにより、携帯電話はポケットベルと留守番電話の組合せと同様な機能を可能とし、ユーザーの不在時又はユーザーがその他占有されている場合に送信された簡単なメッセージを記録し以後表示することを可能とする。SMSはまだ米国内では商業利用は可能ではないが、ヨーロッパ移動通信用グローバル・システム（GSM）の一部であり、かつ米国の暫定工業基準IS-136とIS-137の項目である。
しかしながら、RFまたは赤外のどちらであれ、携帯送受信器の減少する寸法は、多数の記録テキストを必要に応じて受信、記録、再生する適当なメモリ能力の包含に対する挑戦を提供している。
寸法を縮小している送受信器にメモリ能力を追加する問題に加えて、他の通信リンクを介して他のネットワークへの通信を容易にする外部通信装置を追加できるようにすることも望ましいことが、寸法の問題をさらに深刻なものにしている。
要旨と発明の目的
従って、本発明の目的は、小型化に適し改良された追加機能の携帯通信装置を提供することである。
本発明の他の目的は、協動部品が協動するドッキング・ステーションに含まれ改良された携帯通信を提供することである。
本発明のさらに他の目的は、拡張可能なショート・メッセージ・サービス機能付きの改良された小型化ディジタル携帯通信システムを提供することである。
本発明のさらに他の目的は、複数リンクを介した通信を容易にする通信装置を備え改良された携帯小型化通信システムを提供することである。
上記及びその他関連する目的を達成するため、ある形式で本発明を実施するには、拡張可能なショート・メッセージ・サービス機能付きの携帯通信システムは、ショート・メッセージ・サービス受信機能を含む携帯ディジタル無線送受信器と、送受信器とドッキング・ステーションとを相互接続し、メモリに記憶して送受信器により受信した複数のショート・メッセージ・サービスのテキスト送受信器を介して以後選択的に表示する装置を含んで協動するインテリジェント・ドッキング・ステーションと、を含む。ドッキング・ステーションは又送受信機の電池用の電池充電装置と、その他の形式の通信リンクを介して他の機器と通信する外部通信装置とを含む。ドッキング・ステーションは、ドッキング・ステーションに相互接続した送受信器をサポートしてユーザー不在時のショート・メッセージ・サービスを受信し、記憶したテキストの存在を指示する指示器により以後の選択表示を可能とする装置を含む。
【図面の簡単な説明】
図１は本発明を含む携帯通信システムを図示する簡略化したブロック図である。
図１を参照すると、携帯通信システム１は、無線周波数通信１４を受信する適当なアンテナ１２を有する携帯電話のような携帯ディジタル無線送受信器１０を含む。
インテリジェント・ドッキング・ステーション２０は、無線送受信器１０のコネクタ又はメス・ソケット１６と係合するよう設定されたインターフェース・プラグ又はコネクタ２２を含み、カップ状ホルダ２４は送受信器１０の底部１８を受入れるように設定されて、送受信器１０をインテリジェント・ドッキング・ステーション２０上の適所に固定し、ソケット１６とコネクタ２２により提供される電気的相互接続部を係合させる。ドッキング・ステーション２０内のマイクロコントローラ２６は、送受信器１０により受信し、ソケット１６とコネクタ２２とを介してディジタル・メモリ２８へ与えられたショート・メッセージ・サービスのテキストを与えて、液晶表示部（LCD）３０に選択的に表示される手段を提供する。可聴ビープ音又はその他の音声又は可視指示光（又はその組合せ）である指示器３２は、ショート・メッセージ・サービスのテキストを受信し、ディジタル・メモリ２８に記憶していることを指示する。
ドッキング・ステーション２０内の電池充電器３４は、自動車のような車両の場合には車両の電池が都合が良い電源３７から入力電力３５を受け取る。直流電圧３６が電池充電器３４から係合コネクタ２２と１６を介して送受信器１０内の電池７へ与えられる。
動作時には、受信操作者又はユーザー不在時にRF送受信器１０に送信されたSMSディジタル・テキストはコントローラ２６とディジタル・メモリ２８により記憶され、指示器３２が記憶したテキスト・メッセージの存在を指示する。スイッチ３９を作動すると、記憶テキストがLCD表示部３０に表示される。コントローラ２６とディジタル部材２８はインテリジェント・ドッキング・ステーション２０内に含まれているため、大量のSMSテキストを受信し記憶可能とする適切な機能と容量を提供するのに何の問題もない。これにより、送受信器１０の寸法をシャツのポケットに入れて携帯するのに適当な小型状態に保持しつつ、さらにSMSテキストのような拡張機能を追加できる。送受信器をそのドッキング・ステーション２０の協動位置から取り外した時、メモリにSMSテキストの存在を示すため指示器３９を送受信器に含ませてもよい。
ドッキング・ステーション２０は協動する車両のアンテナ５４を利用して、送受信器がリード線５６とコネクタ２２とソケット１６とを介してドッキング・ステーションにドックしている又は接続している間に、送信されたメッセージをディジタル・メモリ２８に受信して記憶するための助けをする。受信器５２もドッキング・ステーション２０に含まれて、送受信器１０のドッキング・ステーション２０からの取り外し時にリード線又はピン５６により起動されて、ドッキング・ステーション２０を配置した、又はインストールした車両又は会社から送受信器１０を携帯している、又はその外で使用している間に受信したSMSメッセージの受信と記録を可能とする。
無線周波数又は赤外線通信４２によるコンピュータ４４のような遠隔の受信装置と通信するためドッキング・ステーション２０内の通信装置４０の使用により、携帯送受信器１０の寸法を保持し又はさらに縮小し続けているにも係らず、本発明の通信システム１の機能はさらに拡張できる。コンピュータ４４は、無線リンク又はローカルエリア・ネットワークのゲートウェイ・ルータを含むその他のネットワークへのさらなる通信４８と５０のためのネットワーク・ゲートウェイ４６を含んでも良い。
本ショート・メッセージ・サービスは64-245英数文字の短いテキスト・メッセージを指向しているが、このインテリジェント・ドッキング・ステーションの使用により可能となる拡張メモリと表示は、通信システムの拡張や、アナログ操作と使用を含むファックス・メイルボックスや音声メイル又はメッセージ、及び複数個のメモリ装置２８の使用又はメモリ装置の選択を含むその能力を可能とし、特定の携帯通信システム１に適切な能力を与える。
本発明は自動車のような車両の設置に特に適しており、ここでドッキング・ステーション２０は全体を２３で指示するコンソールに配置し又は車両操作者又は操作位置の容易に届く範囲内に便利に設置して、電子機器２６とディジタル・メモリ２８への相互接続部１６と２２を介した上述したような拡張通信機能を加えた電池充電能力３６と共に送受信器１０の便利なホルダ２４を提供する。コントローラ２６とディジタル・メモリ２８と通信装置４０はドッキング・ステーション２０からから離れて都合よく配置可能で、携帯通信システム１を配置した車両の前席の下のようなドッキング・ステーションの外側にこれらの部品を配置可能とするようケーブルにより接続される。これは、小さなドッキング・ステーションの寸法を保持することを容易にし、かつSMSメッセージ機能を標準のドッキング・ステーションへのオプションの少なくともプラグイン追加物および改造機能のいずれかとすることを可能とする。適当な端部コネクタを有する６１及び６３のような外部延長ケーブルを使用して、追加部品を受入れるよう接続プラグにより予め都合よく配線されているドッキング・ステーション２０へコントローラ２６と少なくともディジタル・メモリ２８および通信装置４０のいずれかと選択的に接続する。これは、各種のプラグイン・モジュール又は組立てブロックの選択的組合せを利用してシステムの柔軟性と改造を容易にし可能とする。
本発明は、SMSや外部通信能力のような操作能力の拡張と機能の追加を可能としつつ、携帯送受信器の小型化の継続を可能とすることを含む問題への複数の機能と解決法を提供する。加えて、送受信器１０はドッキング・ステーション２０上の適所に保持され、送受信器の小型化したアンテナ１４より通常感度の良いアンテナ５４の能力を提供し、かつ電池７を再充電する電力も提供しつつ手を使わない使用法を可能とする。これは携帯通信システム１の拡張された能力を提供し、その使用を容易にする。
マイクロコントローラ２６をプログラムして送受信器１０のキーパッド６７の利用を可能とし、メモリ２８中の他のメッセージを除いて又はその前に、会社からのような選択したメッセージを表示部３０に表示可能である、又は選択した記憶メッセージのアップロードが可能である。または、ドッキング・ステーション２０は記憶メッセージの少なくともアップロードおよび選択表示用のいずれかの制御部又はキーパッド７０を含んでもよい。メモリ２８中のメッセージはコネクタ２２及びソケット１６を介して、又は無線リンク又はアンテナ５４を介してアップロード可能である。送受信器のスピーカ６７はドッキング・ステーション２０に位置している時送受信器の手を使わない使用法には適しているが、ドッキング・ステーションは別のスピーカを含むことも可能である。これを使用して又音声メッセージの記憶と再生を可能とし、システムを個人用マネージャとして使用して「行動予定」項目又は会合予定のリストのような個人情報メッセージの記録と検索を可能にする。送受信器１０はドッキング・ステーション２０に位置している間も操作できるが、これは少なくとも送受信器１０およびドッキング・ステーション２０のいずれかに配置可能な音声起動スイッチ２５を含めることにより容易になる。本発明は又会社環境でも利用可能で、この時はドッキング・ステーション２０は机上の便利にアクセス可能な位置に取付けられ、送受信器１０は会社の周囲又は離れた所での携帯使用に利用可能である。本発明はアナログと共にディジタル通信システムに応用可能である。
本発明は特定の望ましい実施例に関連して説明してきたが、本発明の要旨と範囲から逸脱することなく構造の詳細、部品の配置と組合せ、及び使用した材料の形式に多くの変更を加えうることを理解すべきである。
【図１】
0004129565.tif 000002